(57)【要約】【課題】  透過性のカバー部材に対して異物を付着し難くするとともに、簡易に装置からカバー部材を画像読取位置から異物除去可能な位置に移動させて、異物を容易に除去することが可能な画像読取装置を提供することを目的とする。【解決手段】  撮像部６０は、線状光源６１を内部に配置し、長穴状の隙間部９３が形成された照明用筐体６７と、ＣＣＤラインセンサ６６等を内部に配置する読取用筐体６８とを備える。撮像部６０を移動させる移動機構を構成するローラ５１は、照明用筐体６７における印刷用紙幅方向に平行に列設して設けられ、ローラガイド５２上を印刷用紙幅方向に平行に摺動する。また、撮像部６０は、照明用筐体６７と読取用筐体６８とを画像読取位置Ｙ１１と異物除去位置Ｙ１２との間を移動可能とする回転軸１０１を備える。この回転軸１０１は、その軸方向が印刷用紙の幅方向に平行となるように配置される。【選択図】        図４
2007036669.tif 000002
【特許請求の範囲】
【請求項１】
移動する印刷用紙上の画像を読み取るための画像読取装置において、
印刷用紙の移動方向と直行する方向に延設され、印刷用紙に対して光を照射する一対の光源と、
前記各光源を内部に配置するとともに、印刷用紙に対して前記各光源からの光を出射させるための一対の光出射開口部と、前記各光源の間に印刷用紙の移動方向と直行する方向を長手方向とする長穴状に形成され、前記印刷用紙に照射された光の反射光を通過させるための隙間部と、が形成された照明用筐体と、
光透過部材により構成され、前記光出射開口部を覆う光出射カバー部材と、
前記印刷用紙に出射され前記隙間部を通過した光を読み取る読取手段と、
前記読取手段を内部に配置するとともに、前記照明用筐体の隙間部を通過した光をさらに内部に入射させるための光入射開口部が、前記隙間部に臨む位置に形成された読取用筐体と、
光透過部材により構成され、前記光入射開口部を覆う光入射カバー部材と、
前記照明用筐体と前記読取用筐体とを、前記光入射開口部が、前記隙間部に臨む位置から前記隙間部から離隔する位置まで相対的に移動可能とする移動機構と、
を備えることを特徴とする画像読取装置。
【請求項２】
請求項１に記載の画像読取装置において、
前記移動機構は、前記読取用筐体を前記照明用筐体に対して印刷用紙の移動方向と直行する方向に平行な軸を中心に回動可能とする画像読取装置。
【請求項３】
請求項１に記載の画像読取装置において、
前記移動機構は、前記読取用筐体を前記照明用筐体に対して印刷用紙の移動方向に平行な軸を中心に回動可能とする画像読取装置。
【請求項４】
請求項１に記載の画像読取装置において、
前記移動機構は、前記読取用筐体を前記照明用筐体に対して印刷用紙の移動方向に平行に移動可能とする画像読取装置。
【請求項５】
請求項１に記載の画像読取装置において、
前記移動機構は、前記読取用筐体を前記照明用筐体に対して印刷用紙に垂直な方向の軸を中心に回動可能とする画像読取装置。
【請求項６】
請求項１に記載の画像読取装置において、
前記移動機構は、前記読取用筐体を前記照明用筐体に対して印刷用紙の移動方向に直行する方向に平行に移動可能とする画像読取装置。
【請求項７】
請求項１乃至請求項６のいずれかに記載の画像読取装置において、
当該画像読取装置は、印刷装置の内部に配設され、
前記照明用筐体および前記読取用筐体を前記印刷装置の内部から外部へ相対的に移動させる全体移動機構をさらに備える画像読取装置。
【請求項８】
請求項７に記載の画像読取装置において、
前記全体移動機構は、前記照明用筐体および前記読取用筐体を前記印刷装置に対して印刷用紙の移動方向と直行する方向に平行に移動可能とする画像読取装置。
【発明の詳細な説明】
【技術分野】
【０００１】
この発明は、移動する印刷用紙上の印刷された画像を読み取る画像読取装置に関する。
【背景技術】
【０００２】
画像を読み取る装置において、光学系と読取対象との間に設けられる透過性のカバー部材にゴミ、紙粉、パウダー等の異物が付着して画像欠陥を生ずるという問題を解決するためには、複雑な構造の装置から透過性のカバー部材を画像読取位置から異物除去可能な位置に移動させて異物を除去しなければならず、通常のオペレータが簡易動作によって除去することはできない。
【０００３】
このような問題を解決するため、特許文献１には、透過性のカバー部材に付着した異物による画像欠陥を生ずるようになった場合に、容易に画像欠陥の生じない画像に回復することができる装置が記載されている。この特許文献１には、読取対象の照明光および読取対象からの反射光を透過する透過性のカバー部材と、読取対象を照明する光源と、読取対象からの反射光を撮像するための撮像部と、読取対象からの反射光を結像する光学系とを備え、読取対象を読み取る際の読取位置を複数有し、複数の読取位置から一の読取位置を選択して光源及び読取位置設定部材を変位させる装置が記載されている。
【０００４】
このような特許文献１に記載の装置によれば、透過性のカバー部材に異物が付着した場合であっても、異物付着位置を避けて画像を読み取ることができる。
【特許文献１】特開２００３−２０７８５７号公報
【発明の開示】
【発明が解決しようとする課題】
【０００５】
しかしながら、特許文献１に記載の装置は、透過性のカバー部材に付着した異物を除去することができず、透過性のカバー部材に対して全ての読取位置に対応する位置において異物が付着した場合には、異物付着位置を避けて画像を読み取ることができない。このような場合に、画像欠陥を回避するためには、複雑な構造の装置から透過性のカバー部材を画像読取位置から異物除去可能な位置に移動させて異物を除去しなければならない。
【０００６】
この発明は、以上のような課題を解決するためになされたものであり、透過性のカバー部材に対して異物を付着し難くするとともに、簡易に装置からカバー部材を画像読取位置から異物除去可能な位置に移動させて、異物を容易に除去することが可能な画像読取装置を提供することを目的とする。
【課題を解決するための手段】
【０００７】
請求項１に記載の発明は、移動する印刷用紙上の画像を読み取るための画像読取装置において、印刷用紙の移動方向と直行する方向に延設され、印刷用紙に対して光を照射する一対の光源と、前記各光源を内部に配置するとともに、印刷用紙に対して前記各光源からの光を出射させるための一対の光出射開口部と、前記各光源の間に印刷用紙の移動方向と直行する方向を長手方向とする長穴状に形成され、前記印刷用紙に照射された光の反射光を通過させるための隙間部と、が形成された照明用筐体と、光透過部材により構成され、前記光出射開口部を覆う光出射カバー部材と、前記印刷用紙に出射され前記隙間部を通過した光を読み取る読取手段と、前記読取手段を内部に配置するとともに、前記照明用筐体の隙間部を通過した光をさらに内部に入射させるための光入射開口部が、前記隙間部に臨む位置に形成された読取用筐体と、光透過部材により構成され、前記光入射開口部を覆う光入射カバー部材と、前記照明用筐体と前記読取用筐体とを、前記光入射開口部が、前記隙間部に臨む位置から前記隙間部から離隔する位置まで相対的に移動可能とする移動機構と、を備えることを特徴とする。
【０００８】
請求項２に記載の発明は、請求項１に記載の画像読取装置において、前記移動機構は、前記読取用筐体を前記照明用筐体に対して印刷用紙の移動方向と直行する方向に平行な軸を中心に回動可能とする。
【０００９】
請求項３に記載の発明は、請求項１に記載の画像読取装置において、前記移動機構は、前記読取用筐体を前記照明用筐体に対して印刷用紙の移動方向に平行な軸を中心に回動可能とする。
【００１０】
請求項４に記載の発明は、請求項１に記載の画像読取装置において、前記移動機構は、前記読取用筐体を前記照明用筐体に対して印刷用紙の移動方向に平行に移動可能とする。
【００１１】
請求項５に記載の発明は、請求項１に記載の画像読取装置において、前記移動機構は、前記読取用筐体を前記照明用筐体に対して印刷用紙に垂直な方向の軸を中心に回動可能とする。
【００１２】
請求項６に記載の発明は、請求項１に記載の画像読取装置において、前記移動機構は、前記読取用筐体を前記照明用筐体に対して印刷用紙の移動方向に直行する方向に平行に移動可能とする。
【００１３】
請求項７に記載の発明は、請求項１乃至請求項６のいずれかに記載の画像読取装置において、当該画像読取装置は、印刷装置の内部に配設され、前記照明用筐体および前記読取用筐体を前記印刷装置の内部から外部へ相対的に移動させる全体移動機構をさらに備える。
【００１４】
請求項８に記載の発明は、請求項７に記載の画像読取装置において、前記全体移動機構は、前記照明用筐体および前記読取用筐体を前記印刷装置に対して印刷用紙の移動方向と直行する方向に平行に移動可能とする。
【発明の効果】
【００１５】
請求項１に記載の発明によれば、照明用筐体と読取用筐体とを光入射開口部が隙間部に臨む位置から隙間部から離隔する位置まで相対的に移動可能とする移動機構を備えることから、透過性の光入射カバー部材に対して異物を付着し難くするとともに、簡易に装置から光入射カバー部材を画像読取位置から異物除去可能な位置に移動させて異物を除去することが可能となる。
【００１６】
請求項２乃至請求項６に記載の発明によれば、簡易な構成でありながら、光入射カバー部材を異物除去可能な位置に移動させることが可能となる。
【００１７】
請求項７に記載の発明によれば、画像読取装置は、印刷装置の内部に配設され、照明用筐体および読取用筐体を印刷装置の内部から外部へ相対的に移動させる全体移動機構をさらに備えることから、簡易に印刷装置から光出射カバー部材を画像読取位置から異物除去可能な位置に移動させて異物を除去することが可能となる。
【００１８】
請求項８に記載の発明によれば、全体移動機構は、照明用筐体および読取用筐体を印刷装置に対して印刷用紙の移動方向と直行する方向に平行に移動可能とすることから、簡易な構成でありながら、印刷装置から光出射カバー部材を異物除去可能な位置に移動させることが可能となる。
【発明を実施するための最良の形態】
【００１９】
以下、この発明の実施の形態を図面に基づいて説明する。図１は、この発明を適用する印刷装置の概要図である。
【００２０】
この印刷装置は、第１の版胴１１と、第２の版胴１２と、第１の版胴１１と当接可能に設けられた第１のブランケット胴１３と、第２の版胴１２と当接可能に設けられた第２のブランケット胴１４と、第１のブランケット胴１３に対して当接可能に設けられた第１の圧胴１５と、第２のブランケット胴１４に対して当接可能に設けられた第２の圧胴１６と、給紙部３１から供給された印刷用紙を第１の圧胴１５に渡すための給紙胴１７と、第１の圧胴１５から受け取った印刷用紙を第２の圧胴１６に渡すための渡し胴１８と、第２の圧胴１６から受け取った印刷用紙を排紙部３２に排出するためのチェーン２３をスプロケット２２との間で巻回した排紙胴１９と、印刷用紙に印刷された画像を撮像するとともに検出パッチの濃度を測定するための撮像部６０と、を有する。
【００２１】
第１の版胴１１および第２の版胴１２は、その外周部に各々異なる２色分の印刷版を保持する所謂２倍胴となっている。また、第１のブランケット胴１３および第２のブランケット胴１４は、第１の版胴１１および第２の版胴１２と同径であり、各々２色分の画像を転写し得るブランケット面を有する。
【００２２】
第１のブランケット胴１３および第２のブランケット胴１４と各々当接可能に設けられた第１の圧胴１５および第２の圧胴１６は、第１、第２の版胴１１、１２および第１、第２のブランケット胴１３、１４の直径の１／２の直径を有する。また、これら第１、第２の圧胴１５、１６は、印刷用紙の先端を保持して搬送するための図示しないグリッパを有する。
【００２３】
圧胴１５に隣接して配設された給紙胴１７は、第１、第２の圧胴１５、１６と同一の直径を有する。この給紙胴１７は、その隔回転毎に、給紙部３１から１枚ずつ供給された印刷用紙の先端をグリッパにより保持して搬送する。グリッパにより保持した印刷用紙の先端部は、給紙胴１７から第１の圧胴１５への印刷用紙の受け渡し時に、第１の圧胴１５のグリッパにより保持される。
【００２４】
第１の圧胴１５と第２の圧胴１６との間に配設された渡し胴１８は、第１、第２の版胴１１、１２および第１、第２のブランケット胴１３、１４の直径と同一の直径を有する。この渡し胴１８は、第１の圧胴１５から受け取った印刷用紙の先端を図示しないグリッパにより保持して搬送し、この印刷用紙の先端を第２の圧胴１６のグリッパに受け渡す。
【００２５】
第２の圧胴１６に隣接して配設された排紙胴１９は、第１、第２の版胴１１、１２および第１、第２のブランケット胴１３、１４の直径と同一の直径を有する。この排紙胴１９は、その両端部に一対のチェーン２３を巻回した構造を有し、この一対のチェーン２３を連結する図示しない連結部材上にグリッパ３０（図２参照）が配設されている。第２の圧胴１６のグリッパにより保持された印刷用紙の先端部は、第２の圧胴１６から排紙胴１９への印刷用紙の受け渡し時に、排紙胴１９のいずれかのグリッパ３０により保持されている。そして、この印刷用紙は、チェーン２３の移動に伴って、排紙部３２に排出される。
【００２６】
給紙胴１７の端部に付設されたギヤは、従動プーリ２５と同芯軸上に配設されたギヤ２６と連結している。そして、モータ２７の駆動により回転する駆動プーリ２８と従動プーリ２５との間には、ベルト２９が巻回されている。このため、給紙胴１７は駆動モータ２７の駆動により回転する。一方、第１、第２の圧胴１５、１６、給紙胴１７、渡し胴１８および排紙胴１９は、各々その端部に付設されたギヤにより連結されている。このため、駆動モータ２７の駆動により、これらの給紙胴１７、第１、第２の圧胴１５、１６、排紙胴１９、第１、第２のブランケット胴１３、１４、第１、第２の版胴１１、１２および渡し胴１８は、互いに同期して回転する。
【００２７】
第１の版胴の周囲には、印刷版に例えばブラック（Ｋ）のインキを供給するためのインキ供給装置２０ａと、印刷版に例えばシアン（Ｃ）のインキを供給するためのインキ供給装置２０ｂと、印刷版に湿し水を供給するための湿し水供給装置２１ａ、２１ｂとが配置されている。また、第２の版胴１２の周囲には、印刷版に例えばマゼンダ（Ｍ）のインキを供給するためのインキ供給装置２０ｃと、印刷版に例えばイエロー（Ｙ）のインキを供給するためのインキ供給装置２０ｄと、印刷版湿し水を供給するための湿し水供給装置２１ｃ、２１ｄとが配置されている。
【００２８】
さらに、第１の版胴１１または第２の版胴１２の周囲には、それぞれ、第１の版胴１１の外周部に印刷版を供給するための給版部３３と、第２の版胴１２の外周部に印刷版を供給するための給版部３４と、第１の版胴１１の外周部に装着された印刷版に画像を記録するための画像記録装置３５と、第２の版胴１２の外周部に装着された印刷版に画像を記録するための画像記録装置３６とが配置されている。
【００２９】
このような印刷装置においては、給版部３３における供給カセット４１から引き出された印刷版はカッター４２により所定のサイズに切断されている。そして、切断されたシート状の印刷版の先端部は、図示しないガイドローラおよびガイド部材により案内され、第１の版胴１１の咥え爪により咥えられる。そして、第１の版胴１１が図示しないモータの駆動により低速で回転し、印刷版が第１の版胴１１の外周部に巻き付けられ、印刷版の後端部は他の咥え爪により咥えられる。この状態において、第１の版胴１１を低速で回転させながら、画像記録装置３５により第１の版胴１１の外周部に保持された印刷版の表面に変調されたレーザビームを照射し、画像を記録する。
【００３０】
同様に、給版部３４における供給カセット４３から引き出された印刷版はカッター４４により所定のサイズに切断される。そして、切断されたシート状の印刷版の先端部は、図示しないガイドローラおよびガイド部材により案内され、第２の版胴１２が図示しないモータの駆動により低速で回転し、印刷版が第２の版胴１２の外周部に巻き付けられ、印刷版の後端部は他方の咥え爪により咥えられる。この状態において、第２の版胴１２を低速で回転させながら、画像記録装置３６により第２の版胴１２の外周部に保持された印刷版の表面に変調されたレーザビームを照射し、画像を記録する。
【００３１】
なお、第１の版胴１１の外周部には、ブラックのインキで印刷を行うための印刷版と、シアンのインキで印刷を行うための印刷版が装着される。これらの２枚の印刷版は、均等に振り分けられた状態（すなわち互いに１８０度離隔した状態）となる位置に配置され、画像記録装置３５はこれらの印刷版に画像を記録する。同様に、第２の版胴１２の外周部には、マゼンダのインキで印刷を行うための印刷版と、イエローのインキで印刷を行うための印刷版とが装着される。これら２枚の印刷版も、均等に振り分けられた状態となる位置に配置され、画像記録装置３６はこれらの印刷版に画像を記録して、製版工程が終了する。
【００３２】
製版工程が終了すれば、第１、第２の版胴１１、１２上の印刷版を用いて印刷用紙に印刷を行う印刷工程を実行する。この印刷工程は、次のようにして実行される。
【００３３】
すなわち、まず、各湿し水供給装置２１および各インキ供給装置２０を第１、第２の版胴１１、１２上に保持された印刷版のうち対応する印刷版とのみ当接させる。これにより、各印刷版には対応する各湿し水供給装置２１および各インキ供給装置２０から湿し水とインキとが供給される。そして、印刷版に供給されたインキは、第１、第２のブランケット胴１３、１４の対応する領域に転写される。
【００３４】
そして、印刷用紙を給紙胴１７に供給する。この印刷用紙は、給紙胴１７から第１の圧胴１５に渡される。印刷用紙を受け取った第１の圧胴１５が回転を続けると、第１の圧胴１５は、第１の版胴１１および第１のブランケット胴１３の１／２の直径を有することから、第１の圧胴１５の外周部に保持された印刷用紙には、その１回転目においてブラックのインキが、また、その２回転目においてシアンのインキが転写される。
【００３５】
第１の圧胴１５が２回転すれば、印刷用紙は第１の圧胴１５から渡し胴１８を介して第２の圧胴１６に渡される。印刷用紙を受け取った第２の圧胴１６が回転を続けると、第２の圧胴１６は、第２の圧胴１６の外周部に保持された印刷用紙には、その１回転目においてマゼンダのインキが、また、その２回転目においてイエローのインキが転写される。
【００３６】
このようにして、４色の印刷が終了した印刷用紙は、一対のチェーン２３の駆動により、排紙部３２に向けて搬送される。このとき、搬送中の印刷用紙は、撮像部６０により撮像され、その画像は図示しないコントロールパネルに表示される。
【００３７】
図２は、この発明の第１実施形態に係る画像読取装置としての撮像部６０を排紙胴１９等の排紙機構とともに湿す側面概要図である。
【００３８】
一対のチェーン２３は、排紙胴１９の両端部と一対のスプロケット２２との間に無端状に掛け渡されている、そして、上述したように、一対のチェーン２３を連結する図示しない連結部材上には、各々、印刷用紙の先端部を咥えて搬送するためのグリッパ３０が配設されている。
【００３９】
一対のチェーン２３の長さは、第１、第２の圧胴１５、１６の周長の整数倍の長さとなっており、チェーン２３上におけるグリッパ３０の配置間隔は、第１、第２の圧胴１５、１６の周長と等しくなるように設定されている。そして、各グリッパ３０は、図示しないカム機構によって、排紙胴１９に設けられたグリッパと同期して開閉するように構成されており、排紙胴１９から印刷用紙を受け取り、チェーン２３の回転に伴って印刷用紙を搬送した後、図示しないカム機構により開放されて印刷用紙の先端部のみをグリッパ３０により咥えて搬送するため、印刷用紙の後端は固定されていない状態で搬送されることになる。このため、この搬送時には、印刷用紙のばたつきが発生し、後述する撮像部６０による画像の撮像や検出パッチの濃度等の測定動作に支障をきたすことになる。これを防止するため、この印刷装置においては、排紙部３２の前方側において印刷用紙の搬送状態を安定される吸着ローラ７０が設けられている。
【００４０】
この吸着ローラ７０は、その表面に微細な吸着孔を多数備えた中空状のローラから構成されており、その中空部は図示しない真空ポンプと接続されている。この吸着ローラ７０の端部にはギヤ７１が付設されている。このギヤ７１は、アイドラギヤ７２、７３を介して排紙胴１９の端部に付設されたギヤと連結されている。これにより、吸着ローラ７０は、グリッパ３０の通過速度に合わせて回転駆動される。このため、印刷用紙は、吸着ローラ７０上を通過する際には吸着ローラ７０の表面に吸着された状態となって搬送されることになり、吸着ローラ７０上では、ばたつきは発生しない。なお、吸着ローラ７０に代えて、印刷用紙を平面的に吸着する吸着部材を使用してもよい。
【００４１】
図３は、この発明の第１実施形態に係る画像読取装置としての撮像部６０を示す正面概要図である。また、図４はその側断面図であり、図５はその裏面図である。
【００４２】
撮像部６０は、吸着ローラ７０と平行に配設され、移動機構としてのローラ５１およびローラガイド５２により印刷装置の内部から外部に移動可能に構成される。この撮像部６０は、印刷用紙の移動方向と直行する方向（印刷用紙の幅方向）に延設され、吸着ローラ７０上の印刷用紙に対して光を照射する一対の線状光源６１と、照明用筐体６７と、読取用筐体６８とを備える。
【００４３】
照明用筐体６７の内部には、一対の集光板６２と、一対の線状光源６１および集光板６２が収納されている。また、照明用筐体６７には、印刷用紙の幅方向を長手方向とする長穴状の隙間部９３が形成されている。
【００４４】
この照明用筐体６７には、印刷用紙に対して各線状光源６１からの光を出射させるための一対の光出射開口部６７ａが形成されている。光出射開口部６７ａには、光透過部材としてのガラスにより構成され、この光出射開口部６７ａの全域を覆う光出射カバー９１が配設されている。このため、光出射開口部６７ａから照明用筐体６７内への空気および裏写り防止パウダや紙粉等の異物の流入を防止することが可能となる。
【００４５】
読取用筐体６８の内部には、折り返しミラー６３、６４と、集光レンズ６５と、ＣＣＤラインセンサ６６とが収納されている。
【００４６】
読取用筐体６８には、線状光源６１から印刷用紙に照射され印刷用紙で反射して照明用筐体６７の隙間部９３を通過した光を内部に入射させるための光入射開口部６８ａが形成されている。光入射開口部６８ａは、隙間部９３に臨む位置に配置されている。また、光入射開口部６８ａには、光透過部材としてのガラスにより構成され、この光入射開口部６８ａの全域を覆う光入射カバー９２が配設されている。このため、光入射開口部６８ａから読取用筐体６８内への空気および異物の流入を防止することが可能となる。
【００４７】
なお、光入射開口部６８ａが隙間部９３に臨む位置に配置され、光入射開口部６８ａと撮像部６０と対向する位置を移動する印刷用紙との距離が、光出射開口部６７ａと印刷用紙との距離と比較して、大きいので、光入射開口部６８ａを閉止する光入射カバー９２に対して異物を付着し難くすることが可能となる。
【００４８】
撮像部６０を印刷装置の内部から外部に移動させる移動機構を構成するローラ５１は、照明用筐体６７における印刷用紙の幅方向に平行に列設して設けられ、印刷装置内部に固設されるローラガイド５２上を印刷用紙の幅方向に平行に移動する。このローラ５１およびローラガイド５２により、撮像部６０は、印刷用紙を撮像する位置（画像読取位置Ｓ１）と撮像部６０における光出射カバー９１全体が印刷装置の外部に突出した位置（異物除去位置Ｓ２）との間で移動する。このような移動機構を備えることにより、簡易な構成でありながら、光出射カバー９１を画像読取位置Ｓ１と異物除去位置Ｓ２との間で移動させることが可能となる。また、このように撮像部６０全体を印刷装置の内部から外部へ移動させることができるため、後述する読取用筐体６８を移動させる際に、印刷装置内の他の部材によって読取用筐体６８の移動が制限されるという問題を防止することが可能となる。なお、ローラ５１にかえて、撮像部６０を摺動して引き出し可能な樹脂等の摺動ブロックを使用してもよい。
【００４９】
撮像部６０は、さらに、照明用筐体６７と読取用筐体６８とを、光入射カバー９２が隙間部９３に臨む位置（画像読取位置Ｙ１１：図４における読取用筐体６８の実線位置）と、光入射カバー９２が隙間部９３から離隔する位置（異物除去位置Ｙ１２：図４における読取用筐体６８の二点鎖線位置）との間を移動可能とする移動機構としての回転軸１０１を備える。この回転軸１０１は、その軸方向が印刷用紙の幅方向に平行となるように配置されている。そして、読取用筐体６８は、照明用筐体６７に対して回転軸１０１を中心に画像読取位置Ｙ１１から異物除去位置Ｙ１２まで回動する。このような移動機構を備えることにより、簡易な構成でありながら、光入射カバー９２を画像読取位置Ｙ１１と異物除去位置Ｙ１２との間で移動させることが可能となる。このため、印刷装置または撮像部６０を複雑に分解することなく光入射カバー９２および光出射カバー９１に付着する異物を除去することが可能となる。
【００５０】
このような構成を有する撮像部６０における光入射カバー９１に付着した異物を除去する場合には、まず、撮像部６０をローラ５１およびローラガイド５２により印刷装置の内部から外部に移動させる。すなわち、撮像部６０を画像読取位置Ｓ１から異物除去位置Ｓ２に移動させる。そして、読取用筐体６８を光入射カバー９２が隙間部９３に臨む位置から光入射カバー９２が隙間部９３から離隔する位置に移動させる。すなわち、読取用筐体６８を、光入射カバー９２が読取画像位置Ｙ１１から異物除去位置Ｙ１２に移動するまで回動させる。このようにして、光入射カバー９２および光出射カバー９１に付着した異物をオペレータにより除去可能にする。
【００５１】
次に、この発明の他の実施形態を図面に基づいて説明する。図６は、この発明の第２実施形態に係る画像読取装置としての撮像部２６０を示す正面概要図である。また、図７はその側断面図であり、図８はその裏面図である。
【００５２】
この発明の第２実施形態に係る画像読取装置としての撮像部２６０は、上述した第１実施形態の撮像部６０における回転軸１０１を備える代わりに、回転軸２０１を備える点で、第１実施形態に係る撮像部６０とは異なる。
【００５３】
この回転軸２０１は、照明用筐体２６７と読取用筐体２６８とを、光入射カバー２９２が隙間部２９３に臨む位置（画像読取位置Ｙ２１：図６における読取用筐体２６８の実線位置）と、光入射カバー２９２が隙間部２９３から離隔する位置（異物除去位置Ｙ２２：図６における読取用筐体２６８の二点鎖線位置）との間を移動可能とする移動機構として機能する。この回転軸２０１は、その軸方向が印刷用紙の移動方向に平行となるように配置されている。そして、読取用筐体２６８は、照明用筐体２６７に対して回転軸２０１を中心に画像読取位置Ｙ２１から異物除去位置Ｙ２２まで回動する。このような移動機構を備えることにより、簡易な構成でありながら、光入射カバー２９２を画像読取位置Ｙ２１と異物除去位置Ｙ２２との間で移動させることが可能となる。このため、印刷装置または撮像部２６０を複雑に分解することなく光入射カバー２９２および光出射カバー２９１に付着する異物を除去することが可能となる。
【００５４】
図９は、この発明の第３実施形態に係る画像読取装置としての撮像部３６０を示す正面概要図である、また、図１０はその側断面図であり、図１１はその裏面図である。
【００５５】
この発明の第３実施形態に係る画像読取装置としての撮像部３６０は、上述した第１実施形態の撮像部６０における回転軸１０１を備える代わりに、ローラ３０１およびローラガイド３０２を備える点で、第１実施形態に係る撮像部６０とは異なる。
【００５６】
ローラ３０１は、読取用筐体３６８の両側面において印刷用紙の移動方向に並設されている。そして、このローラ３０１は、照明用筐体３６７上に印刷用紙の移動方向に延設されるガイドローラ３０２に沿って移動可能に構成される。このような構成から、ローラ３０１およびローラガイド３０２は、照明用筐体３６７と読取用筐体３６８とを、光入射カバー３９２が隙間部３９３に臨む位置（画像読取位置Ｙ３１：図１０における読取用筐体２６８の実線位置）と、光入射カバー３９２が隙間部３９３から離隔する位置（異物除去位置Ｙ３２：図１０における読取用筐体３６８の二点鎖線位置）との間を移動可能とする移動機構として機能する。そして、読取用筐体３６８は、照明用筐体３６７に対してローラ３０１がローラガイド３０２上を移動することにより、画像読取位置Ｙ３１から異物除去位置Ｙ３２まで移動する。このような移動機構を備えることにより、簡易な構成でありながら、光入射カバー３９２を画像読取位置Ｙ３１と異物除去位置Ｙ３２との間で移動させることが可能となる。このため、印刷装置または撮像部３６０を複雑に分解することなく光入射カバー３９２および光出射カバー３９１に付着する異物を除去することが可能となる。
【００５７】
図１２は、この発明の第４実施形態に係る画像読取装置としての撮像部４６０を示す正面概要図である。また、図１３はその側断面図であり、図１４はその裏面図である。
【００５８】
この発明の第４実施形態に係る画像読取装置としての撮像部４６０は、上述した第１実施形態の撮像部６０における回転軸１０１を備える代わりに、回転軸４０１を備える点で、第１実施形態に係る撮像部６０とは異なる。
【００５９】
この回転軸４０１は、照明用筐体４６７と読取用筐体４６８とを、光入射カバー４９２が隙間部４９３に臨む位置（画像読取位置Ｙ４１：図１４における読取用筐体４６８の実線位置）と、光入射カバー４９２が隙間部４９３から離隔する位置（異物除去位置Ｙ４２：図１４における読取用筐体４６８の二点鎖線位置）との間を移動可能とする移動機構として機能する。この回転軸４０１は、その軸方向が印刷用紙に垂直となるように配置されている。そして、読取用筐体４６８は、照明用筐体４６７に対して回転軸４０１を中心に画像読取位置Ｙ４１から異物除去位置Ｙ４２まで回動する。このような移動機構を備えることにより、簡易な構成でありながら、光入射カバー４９２を画像読取位置Ｙ４１と異物除去位置Ｙ４２との間で移動させることが可能となる。このため、印刷装置または撮像部４６０を複雑に分解することなく光入射カバー４９２および光出射カバー４９１に付着する異物を除去することが可能となる。
【００６０】
図１５は、この発明の第５実施形態に係る画像読取装置としての撮像部５６０を示す生面概要図である。また、図１６はその側断面図であり、図１７はその裏面図である。
【００６１】
この発明の第５実施形態に係る画像読取装置としての撮像部５６０は、上述した第１実施形態の撮像部６０における回転軸を備える代わりに、ローラ５０１およびローラガイド５０２を備える点で、第１実施形態に係る撮像部６０とは異なる。
【００６２】
ローラ５０１は、読取用筐体５６８の正面および背面において印刷用紙の幅方向に並設されている。そして、このローラ５０１は、照明用筐体５６７上に印刷用紙の幅方向に延設されるガイドローラ５０２に沿って移動可能に構成される。このような構成から、ローラ５０１およびローラガイド５０２は、照明用筐体５６７と読取用筐体５６８とを、光入射カバー５９２が隙間部５９３に臨む位置（画像読取位置Ｙ５１：図１５における読取用筐体５６８の実線位置）と、光入射カバー５９２が隙間部５９３から離隔する位置（異物除去位置Ｙ５２：図１５における読取用筐体５６８の二点鎖線位置）との間を移動可能とする移動機構として機能する。そして、読取用筐体５６８は、照明用筐体５６７に対してローラ５０１がローラガイド５０２上を移動することにより、画像読取位置Ｙ５１から異物除去位置Ｙ５２まで移動する。このような移動機構を備えることにより、簡易な構成でありながら、光入射カバー５９２を画像読取位置Ｙ５１と異物除去位置Ｙ５２との間で移動させることが可能となる。このため、印刷装置または撮像部５６０を複雑に分解することなく光入射カバー５９２および光出射カバー５９１に付着する異物を除去することが可能となる。
【００６３】
なお、上述した実施形態においては、照明用筐体６７、２６７、３６７、４６７、５６７に対して読取用筐体６８、２６８、３６８、４６８、５６８が移動する構成であるが、読取用筐体６８、２６８、３６８、４６８、５６８に対して照明用筐体６７、２６７、３６７、４６７、５６７が移動する構成としてもよい。
【００６４】
また、上述した実施形態においては、読取用筐体６８、２６８、３６８、４６８、５６８および照明用筐体６７、２６７、３６７、４６７、５６７が印刷装置の内部から外部に移動可能な構成であるが、読取用筐体６８、２６８、３６８、４６８、５６８のみを印刷装置の内部から外部に移動可能な構成としてもよい。また、読取用筐体６８、２６８、３６８、４６８、５６８を印刷装置に固定し、照明用筐体６７、２６７、３６７、４６７、５６７のみを印刷装置の内部から外部に移動可能な構成としてもよい。
【００６５】
また、上述した実施形態においては、光源として線状光源６１、２６１、３６１、４６１、５６１を利用しているが、点状光源を利用して、これらの点状光源を印刷用紙の幅方向に列設してもよい。
【００６６】
さらに、上述した実施形態における撮像部６０、２６０、３６０、４６０、５６０は、特願２００５−１３５８１４号に記載のように、照明用筐体６７、２６７、３６７、４６７、５６７の隙間部９３、２９３、３９３、４９３、５９３から印刷用紙方向に向かうエア流を形成するエア供給手段をさらに備えてもよい。このように隙間部９３、２９３、３９３、４９３、５９３から印刷用紙方向に向かうエアを流出させることにより、光入射カバー９２、２９２、３９２、４９２、５９２および光出射カバー９１、２９１、３９１、４９１、５９１に対して異物を付着し難くすることが可能となる。
【図面の簡単な説明】
【００６７】
【図１】この発明に係る撮像部６０を適用した印刷装置の概要図である。
【図２】この発明の第１実施形態に係る画像読取装置としての撮像部６０を排紙胴１９等の排紙機構とともに湿す側面概要図である。
【図３】この発明の第１実施形態に係る画像読取装置としての撮像部６０を示す正面概要図である。
【図４】この発明の第１実施形態に係る画像読取装置としての撮像部６０を示す側断面図である。
【図５】この発明の第１実施形態に係る画像読取装置としての撮像部６０を示す裏面図である。
【図６】この発明の第２実施形態に係る画像読取装置としての撮像部２６０を示す正面概要図である。
【図７】この発明の第２実施形態に係る画像読取装置としての撮像部２６０を示す側断面図である。
【図８】この発明の第２実施形態に係る画像読取装置としての撮像部２６０を示す裏面図である。
【図９】この発明の第３実施形態に係る画像読取装置としての撮像部３６０を示す正面概要図である。
【図１０】この発明の第３実施形態に係る画像読取装置としての撮像部３６０を示す側断面図である。
【図１１】この発明の第３実施形態に係る画像読取装置としての撮像部３６０を示す裏面図である。
【図１２】この発明の第４実施形態に係る画像読取装置としての撮像部４６０を示す正面概要図である。
【図１３】この発明の第４実施形態に係る画像読取装置としての撮像部４６０を示す側断面図である。
【図１４】この発明の第４実施形態に係る画像読取装置としての撮像部４６０を示す裏面図である。
【図１５】この発明の第５実施形態に係る画像読取装置としての撮像部５６０を示す正面概要図である。
【図１６】この発明の第５実施形態に係る画像読取装置としての撮像部５６０を示す側断面図である。
【図１７】この発明の第５実施形態に係る画像読取装置としての撮像部５６０を示す裏面図である。
【符号の説明】
【００６８】
１１    第１の版胴
１２    第２の版胴
１３    第１のブランケット胴
１４    第２のブランケット胴
１５    第１の圧胴
１６    第２の圧胴
１７    給紙胴
１８    渡し胴
１９    排紙胴
２０    インキ供給装置
２１    湿し水供給装置
２２    スプロケット
２３    チェーン
２５    従動プーリ
２６    ギヤ
２７    モータ
２８    駆動プーリ
２９    ベルト
３０    グリッパ
３１    給紙部
３２    排紙部
３３    給版部
３４    給版部
３５    画像記録装置
３６    画像記録装置
４１    供給カセット
４２    カッター
４３    供給カセット
４４    カッター
５１    ローラ
５２    ローラガイド
６０    撮像部
６１    線状光源
６２    集光板
６３    折り返しミラー
６４    折り返しミラー
６５    集光レンズ
６６    ＣＣＤラインセンサ
６７    照明用筐体
６８    読取用筐体
７０    吸着ローラ
７１    ギヤ
７２    アイドラギヤ
７３    アイドラギヤ
９１    光出射カバー
９２    光入射カバー
９３    隙間部
１０１  回転軸
２０１  回転軸
２６０  撮像部
２６１  線状光源
２６２  集光板
２６３  折り返しミラー
２６４  折り返しミラー
２６５  集光レンズ
２６６  ＣＣＤラインセンサ
２６７  照明用筐体
２６８  読取用筐体
２９１  光出射カバー
２９２  光入射カバー
２９３  隙間部
３０１  ローラ
３０２  ローラガイド
３６０  撮像部
３６１  線状光源
３６２  集光板
３６３  折り返しミラー
３６４  折り返しミラー
３６５  集光レンズ
３６６  ＣＣＤラインセンサ
３６７  照明用筐体
３６８  読取用筐体
３９１  光出射カバー
３９２  光入射カバー
３９３  隙間部
４０１  回転軸
４６０  撮像部
４６１  線状光源
４６２  集光板
４６３  折り返しミラー
４６４  折り返しミラー
４６５  集光レンズ
４６６  ＣＣＤラインセンサ
４６７  照明用筐体
４６８  読取用筐体
４９１  光出射カバー
４９２  光入射カバー
４９３  隙間部
５０１  ローラ
５０２  ローラガイド
５６０  撮像部
５６１  線状光源
５６２  集光板
５６３  折り返しミラー
５６４  折り返しミラー
５６５  集光レンズ
５６６  ＣＣＤラインセンサ
５６７  照明用筐体
５６８  読取用筐体
５９１  光出射カバー
５９２  光入射カバー
５９３  隙間部
【図１】
2007036669.tif 000003
【図２】
2007036669.tif 000004
【図３】
2007036669.tif 000005
【図４】
2007036669.tif 000006
【図５】
2007036669.tif 000007
【図６】
2007036669.tif 000008
【図７】
2007036669.tif 000009
【図８】
2007036669.tif 000010
【図９】
2007036669.tif 000011
【図１０】
2007036669.tif 000012
【図１１】
2007036669.tif 000013
【図１２】
2007036669.tif 000014
【図１３】
2007036669.tif 000015
【図１４】
2007036669.tif 000016
【図１５】
2007036669.tif 000017
【図１６】
2007036669.tif 000018
【図１７】
2007036669.tif 000019